(57)【要約】【課題】アドレス部とデータ部のＤＣレベルが大きく異なる再生信号に対し、ＤＣレベルを一致させるための高域通過フィルタのカットオフ周波数を切り換えるタイミングを調整する。【解決手段】再生信号１より、検出信号３および検出信号４を生成し、この２つの信号の和をとることにより新たな制御信号５を生成する。高域通過フィルタ１３は、この制御信号５にてカットオフ周波数の切り替えが行われる。再生信号１を、高域通過フィルタ１３に入力し、制御信号５によりカットオフ周波数を切り換えるタイミングを変える。【選択図】  図１
2004192704.tif 000002
【特許請求の範囲】
【請求項１】
再生信号を入力して前記再生信号中に存在するアドレス部分とデータ部分のＤＣレベルを、カットオフ周波数の切り替えにより一致させる高域通過フィルタを有し、前記カットオフ周波数を外部制御信号により切り替え可能な再生装置であって、前記再生信号を入力して前記再生信号においてアドレス部が始まるタイミングを検出する第１の検出手段と、前記再生信号を入力して前記再生信号において信号の前記ＤＣレベルが大きく変動する部位を検出する第２の検出手段と、前記第１の検出手段と前記第２の検出手段の検出信号の和となる制御信号を前記外部制御信号として前記高域通過フィルタに入力する論理和回路とを備えた再生装置。
【請求項２】
再生信号を入力して前記再生信号中に存在するアドレス部分とデータ部分のＤＣレベルを、カットオフ周波数の切り替えにより一致させる高域通過フィルタを有し、前記カットオフ周波数を外部制御信号により切り替え可能な再生装置であって、前記再生信号を入力して前記再生信号において信号の前記ＤＣレベルが大きく変動する部位を検出する検出手段と、この検出手段の検出信号を入力してメディアのフォーマットにより規定される時間制御信号を生成し前記制御信号を前記外部制御信号として前記高域通過フィルタに入力する制御信号生成手段とを備えた再生装置。
【請求項３】
制御信号生成手段の制御信号を生成する時間はメディアのフォーマットおよびメディアの再生速度により決定される時間制御信号を生成する請求項２記載の再生装置。
【発明の詳細な説明】
【０００１】
【発明の属する技術分野】
本発明は、半導体集積回路として実現可能な、光ディスク再生装置等のメディアの再生装置に関するものである。
【０００２】
【従来の技術】
以下、従来の技術を使用した光ディスク再生装置について、図面を参照しながら説明する。
【０００３】
図４は、従来の光ディスク再生装置の要部ブロック図およびタイミングチャートである。これらの図において、１はメディア（媒体）１１に記録されている再生信号、２は再生信号１のアドレス部が始まるタイミングにてＨｉｇｈレベルとなる検出信号、６は検出信号２によってカットオフ周波数を切り替えられる高域通過フィルタ１３の出力信号の波形である。１０はメディア１１から再生信号を取り出す再生手段、１２は検出信号を出力する検出手段である。
【０００４】
以上のように構成された光ディスク再生装置について、以下に説明する。再生信号のデータ部とアドレス部において、ＤＣレベルが異なる再生信号１を２値化する場合、一定の閾値にてコンパレートする事ができないため、高域通過フィルタ１３を通す事により、ＤＣレベルを揃えることが必要となる。そのため、まず入力端子より入力される再生信号１に対し、再生信号１のアドレス部とデータ部が切り替わるタイミングにてＨｉｇｈレベルを出力する検出信号２を検出手段１２により生成する。また、高域通過フィルタ１３は、制御端子によりカットオフ周波数を切り替えることが可能であり、検出信号２がＨｉｇｈレベルの場合には、高域通過フィルタ１３のカットオフ周波数を高め、Ｌｏｗレベルにおいては、カットオフ周波数を低くする制御が行われる。この結果、再生信号１を高域通過フィルタ１３を通過させることにより、データ部とアドレス部のＤＣレベルが一致し、一定の閾値にて２値化を行い、データおよびアドレスとも読み取る事が可能となる。ａ〜ｂ、ｄ〜ｅはＤＣレベルが大きく変動した部分、ｂはアドレス部の先頭部分であり検出信号２の立上り、ｅはデータ部の先頭部分であり検出信号の立上り、ｃ、ｆは検出信号２の立ち下がりである。
【０００５】
【特許文献】
特開２００２−２８８８３９
【０００６】
【発明が解決しようとする課題】
しかしながら、上記従来の構成においては、高域通過フィルターのカットオフ周波数を切り替えるタイミングが、アドレス部あるいはデータ部の領域内にあるため、各部での先頭部分の信号を精度良く読み取る事ができない。
【０００７】
本発明は、カットオフ周波数を切り替えるタイミングを早めることにより、データ部あるいはアドレス部の先頭部分を精度良く読み取ることができる再生装置を提供することを目的とする。
【０００８】
【課題を解決するための手段】
請求項１記載の再生装置は、再生信号を入力して再生信号中に存在するアドレス部分とデータ部分のＤＣレベルを、カットオフ周波数の切り替えにより一致させる高域通過フィルタを有し、カットオフ周波数を外部制御信号により切り替え可能な再生装置であって、再生信号を入力して再生信号においてアドレス部が始まるタイミングを検出する第１の検出手段と、再生信号を入力して再生信号において信号のＤＣレベルが大きく変動する部位を検出する第２の検出手段と、第１の検出手段と第２の検出手段の検出信号の和となる制御信号を外部制御信号として高域通過フィルタに入力する論理和回路とを備えたものである。
【０００９】
請求項１記載の再生装置によれば、再生信号に対して、データ部からアドレス部に切り替わるタイミングを検出する信号と、再生信号に対してＤＣレベルが明側へ大きく変動する部分を検出する信号を加算した信号を新たに生成し、新たに生成した信号がＨｉｇｈレベルとなるタイミングにて高域通過フィルタのカットオフ周波数を高め、Ｌｏｗレベルにて下げるという制御を行うことにより、アドレス部とデータ部のＤＣレベルを一致させる作用を有する。
【００１０】
このように、制御信号の立ち上がりにて高域通過フィルタのカットオフ周波数を高め、制御信号の立ち下りにて高域通過フィルタのカットオフ周波数を下げることにより、高域通過フィルタのカットオフ周波数を切り替えるタイミングを変化させ、従来の技術を用いた場合よりアドレス部とデータ部のＤＣレベルを一致させるタイミングを早めることができ、より精度よ再生信号中のデータ部およびアドレス部を読み取ることができる。
【００１１】
請求項２記載の再生装置は、再生信号を入力して再生信号中に存在するアドレス部分とデータ部分のＤＣレベルを、カットオフ周波数の切り替えにより一致させる高域通過フィルタを有し、カットオフ周波数を外部制御信号により切り替え可能な再生装置であって、再生信号を入力して再生信号において信号のＤＣレベルが大きく変動する部位を検出する検出手段と、この検出手段の検出信号を入力してメディアのフォーマットにより規定される時間制御信号を生成し制御信号を外部制御信号として高域通過フィルタに入力する制御信号生成手段とを備えたものである。
【００１２】
請求項２記載の再生装置によれば、高域通過フィルタのカットオフ周波数を下げるタイミングを、メディアのフォーマットにより決定される時間で制御することにより、アドレス部とデータ部のＤＣレベルを一致させる作用を有する。したがって、請求項１と同様な効果のほか、より精度よくアドレス部およびデータ部を読み取ることができる。
【００１３】
請求項３記載の再生装置は、請求項２において、制御信号生成手段の制御信号を生成する時間はメディアのフォーマットおよびメディアの再生速度により決定される時間制御信号を生成するものである。
【００１４】
請求項３記載の再生装置は、高域通過フィルタのカットオフ周波数を下げるタイミングを、メディアのフォーマットにより決定される時間で制御し、その時間をメディアの再生速度により可変とすることにより、アドレス部とデータ部のＤＣレベルを一致させる作用を有する。したがって、請求項２と同様な効果のほか、再生速度に影響されず最適なアドレス部およびデータ部を読み取ることができる。
【００１５】
【発明の実施の形態】
以下、本発明の一実施形態について、図面を参照しながら説明する。
【００１６】
図１は、本発明の第１の実施形態における、光ディスク再生装置の要部ブロック図およびタイミングチャートである。図１において、１はメディアに記録されている再生信号、３は再生信号におけるデータ部からアドレス部の切り替わりを検出する信号、４は再生信号のＤＣレベルが明側へ大きく変動したことを検出する信号、５は検出信号３と検出信号４とを加算することにより新たに生成した制御信号、６は制御信号５によってカットオフ周波数を切り替えられる高域通過フィルタ１３の通過後の出力波形である。１４は検出信号３を生成する第１の検出手段、１５は検出信号４を生成する第２の検出手段、１６は制御信号５を生成する論理和回路である。
【００１７】
本実施形態における光ディスク再生装置は、図１に示されるような再生信号１より、検出信号３および検出信号４を生成し、この２つの信号の和をとることにより新たな制御信号５を生成する。高域通過フィルタ１３は、この制御信号５にて、カットオフ周波数の切り替えが行われる。再生信号１を、高域通過フィルタ１３に入力することにより、再生信号中のデータ部およびデータ部のＤＣレベルを一致させる。
【００１８】
以上のように構成された光ディスク再生装置について、以下その動作を説明する。入力される再生信号１に存在するデータ部とアドレス部に対して、データ部からアドレス部への切り替わり（ｃ点）を検出し、そのタイミングでＨｉｇｈレベルとなる検出信号３を生成する。また、再生信号１において、ＤＣレベルが明側へ大きく変動した場合（ａ点〜ｂ点間、およびｄ点〜ｅ点）にＨｉｇｈレベルとなる検出信号４を生成する。さらに、検出信号３と検出信号４との和をとり、これを制御信号５とする。再生信号１を、高域通過フィルタ１３へと入力する際に、制御信号５がＨｉｇｈレベルである期間においては、カットオフ周波数を高め、Ｌｏｗレベルである期間においては下げるような制御を行い、従来の構成に比べて高域通過フィルターの切り替えを早めることにより、アドレス部の先頭部分（ｂ点）あるいはデータ部の先頭部分（ｅ点）においては、すでにＤＣレベルが一定レベルとなっているため、精度よく読み取ることが可能な光ディスク再生装置を得ることができる。
【００１９】
以下、本発明の第２の実施形態について、図面を参照しながら説明する。
【００２０】
図２は、本発明の第２の実施形態を示している。再生信号１、検出信号４、高域通過フィルタ１３は、図１と同様のものである。図１の構成と異なるのは、検出手段１５より検出信号４を入力して、制御信号７を生成する制御信号生成手段１７を設け、これにより高域通過フィルタ１３のカットオフ周波数を切り替える制御信号をＬｏｗレベルにするタイミングとして、メディアのフォーマットにより決定される時間ｔ１１およびｔ３１とする点である。
【００２１】
上記のように構成された光ディスク再生装置について、その動作を説明する。入力される再生信号１に存在するデータ部とアドレス部に対して、再生信号１において、ＤＣレベルが明側へ大きく変動した場合（ａ点〜ｂ点間）にＨｉｇｈレベルとなる検出信号４を検出手段１５により生成する。この検出信号４の立ち上がり（ａ点）のタイミングと同時に立ち上がり、メディアの物理フォーマットにより決定される一定時間ｔ１１後に立ち下がり、メディアの物理フォーマットにより決定される一定時間ｔ２１後に立ち上がりメディアの物理フォーマットにより決定される一定時間ｔ３１後に立ち下がる制御信号７を制御信号生成手段１７により生成する。この制御信号７を用いて、高域通過フィルタ１３の制御を行うことにより、請求項１に記載の構成において検出信号３を正確に検出できない場合でも、精度良くアドレス部およびデータ部を読み取る事が可能な光ディスク再生装置を得ることができる。
【００２２】
以下、本発明の第３の実施形態について、図面を参照しながら説明する。
【００２３】
図３は、本発明の第３の実施形態を示している。再生信号１、検出信号４、出力信号６、再生手段１、高域通過フィルタ１３、検出手段１５は、図２と同様のものである。図２の構成と異なるのは、高域通過フィルタ１３のカットオフ周波数を切り替える制御信号８をＬｏｗレベルにするタイミングとして、メディアのフォーマットにより決定される一定時間ｔ１２およびｔ２２を、メディアの再生速度により可変とする点である。これは検出手段１５の検出信号４を入力する制御信号生成手段１８により行われる。
【００２４】
上記のように構成された光ディスク再生装置について、その動作を説明する。入力される再生信号１に存在するデータ部とアドレス部に対して、再生信号１において、ＤＣレベルが明側へ大きく変動した場合（ａ点〜ｂ点間、ｄ点〜ｅ点間）にＨｉｇｈレベルとなる検出信号４を生成する。この検出信号４の立ち上がり（ａ点およびｄ点）のタイミングと同時に立ち上がり、メディアの物理フォーマットおよびメディアの再生速度により決定される時間ｔ１２あるいはｔ２２に立ち下がる制御信号８を生成する。この制御信号８を用いて、高域通過フィルタ１３制御を行うことにより、請求項２に記載の構成に比べて、再生速度に影響されず最適なタイミングにてＤＣレベルを一致させることが可能となり、より高精度にアドレス部およびデータ部を読み取ることができる光ディスク再生装置を得ることができる。
【００２５】
【発明の効果】
請求項１記載の再生装置によれば、制御信号の立ち上がりにて高域通過フィルタのカットオフ周波数を高め、制御信号の立ち下りにて高域通過フィルタのカットオフ周波数を下げることにより、高域通過フィルタのカットオフ周波数を切り替えるタイミングを変化させ、従来の技術を用いた場合よりアドレス部とデータ部のＤＣレベルを一致させるタイミングを早めることができ、より精度よ再生信号中のデータ部およびアドレス部を読み取ることができる。
【００２６】
請求項２記載の再生装置によれば、請求項１と同様な効果のほか、より精度よくアドレス部およびデータ部を読み取ることができる。
【００２７】
請求項３記載の再生装置は、請求項２と同様な効果のほか、再生速度に影響されず最適なアドレス部およびデータ部を読み取ることができる。
【図面の簡単な説明】
【図１】本発明の第１の実施形態における光ディスク再生装置のブロック図および信号プロファイルを示すタイミングチャートである。
【図２】本発明の第２の実施形態における光ディスク再生装置のブロック図および信号プロファイルを示すタイミングチャートである。
【図３】本発明の第３の実施形態における光ディスク再生装置のブロック図および信号プロファイルを示すタイミングチャートである。
【図４】従来の光ディスク再生装置のブロック図および信号プロファイルを示すタイミングチャートである。
【符号の説明】
１    再生信号
２    検出信号
３    検出信号
４    検出信号
５    制御信号
６    出力信号
７    制御信号
８    制御信号
１０    再生手段
１１    メディア
１２    検出手段
１３    高域通過フィルタ
１４    第１の検出手段
１５    第２の検出手段
１６    論理和回路
１７    制御信号生成手段
１８    制御信号生成手段
【図１】
2004192704.tif 000003
【図２】
2004192704.tif 000004
【図３】
2004192704.tif 000005
【図４】
2004192704.tif 000006